(57)【要約】【課題】  ティーバッグにおいて、その立体の形状に応じて、水面に浮かせたり、水中に漂わせたり、水底に沈めたりという挙動を制御する技術を提供する。【解決手段】  従来の  フィルターが重畳する重畳部を有する重畳フィルターを含む立体形状のティーバッグであって、  前記重畳部を形成するフィルター間に存する原料充填空間と、  前記重畳フィルターが重なり形成された袋状部を備え、  原料が、前記原料充填空間に充填してなることを特徴とする、立体形状のティーバッグ。【選択図】図３
2020152437.tif 000002
【特許請求の範囲】
【請求項１】
フィルターが重畳する重畳部を有する重畳フィルターを含む立体形状のティーバッグであって、
前記重畳部を形成するフィルター間に存する原料充填空間と、
前記重畳フィルターが重なり形成された袋状部を備え、
原料が、前記原料充填空間に充填されてなることを特徴とする、立体形状のティーバッグ。
【請求項２】
前記原料充填空間の一部又は全部が、前記袋状部よりも上部に位置することを特徴とする、請求項１に記載の立体形状のティーバッグ。
【請求項３】
請求項１又は２に記載のティーバッグを形成する重畳フィルターであって、
フィルターが重畳する重畳部と、前記袋状部を構成する袋状部構成壁部とを備える、重畳フィルター。
【請求項４】
前記袋状部構成壁部が、所定の折込線を有することを特徴とする、請求項３に記載の重畳フィルター。
【請求項５】
前記折込線が、重畳部を形成するフィルターが溶着された溶着部からなることを特徴とする、請求項４に記載の重畳フィルター。
【請求項６】
前記重畳フィルターの外形形状が、略十字形であって、２組の対面する２つの突出部の長さが組ごとに異なり、同組の突出部の長さが略同一であることを特徴とする、請求項３〜５の何れか一項に記載の重畳フィルター。
【請求項７】
立体形状のティーバッグの製造方法であって、
フィルターを重畳させ、重畳部を形成する重畳工程と、
フィルターを平面状の所定の外形形状に画定する、画定工程と、
原料を、前記重畳部を形成するフィルター間に存する原料充填空間に充填する、充填工程と、
前記フィルターを折曲し、袋状部を形成する立体形成工程と、を備えることを特徴とする、立体形状のティーバッグの製造方法。
【請求項８】
前記立体形成工程が、前記原料充填空間の一部又は全部が、袋状部よりも上部に位置するよう前記袋状部を形成する工程であることを特徴とする、請求項７に記載のティーバッグの製造方法。
【請求項９】
さらに、重畳したフィルター同士を溶着する溶着工程を備え、
前記溶着工程において、重畳部の周縁の一部を除いて溶着し、原料投入口を形成する工程を含み、
前記充填工程後、前記原料投入口を封止する封止工程を備える、請求項７又は８の何れか一項に記載のティーバッグの製造方法。
【発明の詳細な説明】
【技術分野】
【０００１】
本発明は、立体形状のティーバッグ、及び当該ティーバッグの製造方法に関する。
【背景技術】
【０００２】
ティーバッグは、包装体に予め所定量の茶葉や粉末が内包されており、湯や水に浸すだけで茶類等を抽出することができ、その簡便さから広く普及している。
また、ティーバッグは、茶類のみならず、顆粒出汁や入浴剤等を充填し、その抽出、又は溶解のためにも使用されている。
【０００３】
ティーバッグとしては、平面的な矩形状のものと、立体的な三角錐型のもの（テトラパック）が一般的に知られている。
【０００４】
また、立体形状のティーバッグとしては、テトラパック以外に、複雑な形状のティーバッグも存在している。
例えば、特許文献１には、水生哺乳類の形状を切り開いた平面形状の切開形布を組み立てて製造する、水生哺乳類の形状のティーバッグが記載されている。
【先行技術文献】
【特許文献】
【０００５】
【特許文献１】特開２０１７−２２６４２８号公報
【発明の概要】
【発明が解決しようとする課題】
【０００６】
ところで、ティーバッグは、抽出時において溶媒中に沈められるのが一般的である。
特許文献１に記載のティーバッグも、溶媒中に沈めることで、水性哺乳類が溶媒中を泳いでいるかのように見えるという点にユニークさがある。
【０００７】
一方で、例えば鶴等の水鳥のように、水面に漂う生物を模したティーバッグを製造した場合、従来のティーバッグではあたかも水鳥が溺れているように見え、美観を損ねる。
あえて溶媒中に沈めずに水面に漂わせることで、美観を生じさせるティーバッグは、従来存在していなかった。
【０００８】
したがって本発明は、抽出時において、長時間水面に浮かせることができる立体形状のティーバッグ、及びその製造方法を提供することを課題とする。
【課題を解決するための手段】
【０００９】
上記課題を解決する本発明は、
フィルターが重畳する重畳部を有する重畳フィルターを含む立体形状のティーバッグであって、
前記重畳部を形成するフィルター間に存する原料充填空間と、
前記重畳フィルターが重なり形成された袋状部を備え、
原料が、前記原料充填空間に充填されてなることを特徴とする、立体形状のティーバッグである。
【００１０】
通常、立体形状のティーバッグを製造するには、特許文献１にも記載の通り、フィルターを袋状に加工、成形し、この袋状部に茶葉を入れる。
一方で、本発明の立体形状ティーバッグは、袋状部を備えるものの、茶葉等の原料を、重畳部を形成するフィルター間に存する原料充填空間に充填する。
このようなティーバッグは、長時間水面に浮かせることができる。
【００１１】
本発明の好ましい形態では、前記原料充填空間の一部又は全部が、前記袋状部よりも上部に位置する。
原料充填空間が袋状部よりも上部に位置することで、立体型ティーバッグの重心が上部となり、当該重心より下部に空気が存することになる。そのため、この立体形状ティーバッグは、より長時間水面に浮かせることができる。
【００１２】
また、前記課題を解決する本発明は、
上述したティーバッグを形成する重畳フィルターであって、フィルターが重畳する重畳部と、前記袋状部を構成する袋状部構成壁部とを備える。
【００１３】
本発明の好ましい形態では、前記袋状部構成壁部が、所定の折込線を有する。
折込線を備えることで、フィルターの折曲が容易となり、簡便に立体形状のティーバッグを形成することができる。
【００１４】
本発明の好ましい形態では、前記折込線が、重畳部を形成するフィルターが溶着された溶着部からなる。
折込線を溶着部とすることで、フィルターの折込がより容易となる。また、ティーバッグにおいて溶着は一般に行われており、特別な装置等を用意する必要もなく、折込線を形成することができる。
【００１５】
本発明の好ましい形態では、前記重畳フィルターの外形形状が、略十字形であって、２組の対面する２つの突出部の長さが組ごとに異なり、同組の突出部の長さが略同一である。
このような形状とすることで、翼を持った鳥類を模した立体形状のティーバッグを容易に形成することができる。
【００１６】
また、前記課題を解決する本発明は、
立体形状のティーバッグの製造方法であって、
フィルターを重畳させ、重畳部を形成する重畳工程と、
フィルターを平面状の所定の外形形状に画定する、画定工程と、
原料を、前記重畳部を形成するフィルター間に存する原料充填空間に充填する、充填工程と、
前記フィルターを折曲し、袋状部を形成する立体形成工程を備える。
【００１７】
本発明の好ましい形態では、前記立体形成工程が、前記原料充填空間の一部又は全部が、袋状部よりも上部に位置するよう前記袋状部を形成する工程である。
【００１８】
本発明の好ましい形態では、
さらに、重畳したフィルター同士を溶着する溶着工程を備え、
前記溶着工程において、重畳部の周縁の一部を除いて溶着し、原料投入口を形成する工程を含み、
前記充填工程後、前記原料投入口を封止する封止工程を備える。
このような工程を備えることで、原料の充填が容易となる。
【発明の効果】
【００１９】
本発明の立体形状ティーバッグは、抽出時においてティーバッグが浮かぶ、水中を漂う、水底に沈むという挙動が制御され、美観に優れる。また、本発明の重畳フィルターは、前記立体形状ティーバッグを容易に形成することができる。
【図面の簡単な説明】
【００２０】
【図１】実施例１に係る、重畳フィルターを示す図である。
【図２】実施例１に係る、重畳フィルターを折り込み形成した後の図である。
【図３】実施例１に係る、鶴を模した水面に浮かせることが可能な立体形状のティーバッグを示す図である。
【図４】実施例２の重畳フィルターを示す図である。
【図５】実施例１及び比較例１の、抽出時の挙動を示す図面代用写真である。
【発明を実施するための形態】
【００２１】
［材料］
本発明のティーバッグにおいて、フィルターの種類は通常ティーバッグに用いることができる素材であれば特に限定されず、紙、不織布、ナイロン紗、ポリエステル紗及び植物由来の生分解性繊維等を用いることができる。
【００２２】
［原料］
本明細書中において、原料とは、水、及びお湯等の溶媒に浸漬させる物質の総称を意味する。
原料としては、例えば、茶葉、漢方、コーヒー、健康食品、インスタント類（味噌汁、スポーツ飲料、スープ）、出汁用原料等の食品を用いることができ、顆粒状、粉末状のものを用いることができる。
また、アロマ及びポプリ等の雑貨、石、鉱石等の、風呂に入れることで温泉効能的用途を有する雑貨、脱臭剤及び防臭剤等を用いることができる。さらに、医薬原料、及び洗顔料の粉末等の化粧品原料を用いることができる。
【００２３】
以下、図面を参照して本発明の一実施形態に係るティーバッグの製造方法、及びティーバッグについて説明するが、本発明はこれに限定されない。
【００２４】
＜実施例１＞
図１に実施例１に係る重畳フィルター１０ａを示す。
なお、本明細書中において重畳フィルターとは、２枚以上のフィルターが重なりあった重畳部を一部又は全部に備えるフィルターの複合体を意味する。
【００２５】
実施例１において、重畳フィルター１０ａは、同一形状のフィルターを２枚重ねて形成されたものであり、すなわち、全ての領域が重畳部である。
実施例１において、重畳フィルター１０ａは、略十字形であって、図１の横方向に位置する突出部１５と、縦方向に位置する突出部１４との長さが異なるように、外形形状を画定する。
なお、「外形形状を画定する」とは、設定した外形のティーバッグを作出する目的で行われる全ての操作が含まれる。例えば、フィルター同士の溶着、縫合、及び仮止めなどのフィルター同士を結合する操作や、外形を画定する操作や切断などの操作が含まれる。
本実施形態においては、レーザーを用いて図１に示す外形形状に切断し、超音波を用いてフィルターの溶着を行った。
【００２６】
図１中に長鎖線で表された部分は、重畳部を超音波溶着した溶着部１１ａである。
実施例１において、溶着部１１ａ−１〜ａ−４は折込線となっている。
【００２７】
図１中の上方向に位置する突出部１４の先端は、封止されておらず、原料投入口１２が形成されている。
この原料投入口１２ａを通り、溶着部１１により画定されている空間が、原料充填空間１３ａである。
【００２８】
実施例１においては、原料投入口１２ａは、原料充填空間１３ａに原料を投入後、封止される。
【００２９】
図２に、図１の重畳フィルター１０ａを折曲した状態図を示す。
実施例１においては、突出部１４が重畳フィルター１０ａの中心を頂点として、谷折りされる。このように、重畳フィルター１０ａを折曲することで、原料充填空間１３ａとは異なる空間である、袋状部１６ａが形成される。
袋状部１６ａは、突出部１４と、突出部１５のうち、折込線１１ａ−１及び折込線１１ａ−４で区切られた一部分からなり、すなわち、突出部１４及び突出部１５が袋状部１６ａを構成する壁部となる。
【００３０】
実施例１において、袋状部１６ａは、原料充填空間１３ａに覆われており、原料充填空間の一部は、袋状部１６ａよりも上部に位置している。
原料充填空間１３ａ及び袋状部１６ａの位置関係について、原料充填空間１３ａが袋状部１６ａよりも上部に位置する形状とすることで、抽出時において長時間水面に浮かせることが可能となる。
【００３１】
図示しないが、本実施形態において、図２の重畳フィルター１０ａの底面、すなわち袋状部１６ａの開口部は、超音波溶着により封止される。
【００３２】
従来の立体形状のティーバッグは、袋状部１６ａに原料を充填する形態である。
一方、実施例１の立体形状ティーバッグは、このように、重畳フィルター１０ａにおける重畳部を形成するフィルター間に存する原料充填空間１３ａに原料を充填し、原料充填空間１３ａとは別に、重畳フィルター１０同士が重なり形成された袋状部１６ａを有することを特徴とする。
【００３３】
図３には、図２の重畳フィルター１０ａに、別のフィルターからなる頭部１７ａと尾部１８ａを溶着して取り付けた、鶴を模した立体形状のティーバッグ２０ａを示す。
図３に示すように、重畳フィルター１０ａの略十字形の突出部のうち、相対的に長く形成された２つの突出部１５は、鶴の翼部となる。
【００３４】
実施例１においては、重畳フィルター１０ａとして、重畳フィルター１０ａの全体が重畳部となっている形態について例示したが、本発明はこれに限定されず、重畳フィルターは、少なくとも一部に重畳部を有していればよい。
重畳部は、重畳フィルターの所定の外形形状の重心となる点に対して点対称、又は重心となる点を通る対称軸に対して線対称となるように形成してなることが好ましい。
重畳部を点対称、又は線対称となるように形成することで、原料を充填した後に重心が安定し、抽出時の挙動を制御することが可能となる。
【００３５】
実施例１においては、重畳フィルター１０ａの外形形状として、略十字形であって、２組の対面する２つの突出部の長さが、組ごとに異なる形態について例示したが、本発明はこれに限定されない。
本実施形態においては、鶴を模した立体形状ティーバッグを形成するための重畳フィルター１０ａの外形形状を示したに過ぎず、本発明の重畳フィルターは、重畳部を形成するフィルター間に存する原料充填空間と、前記重畳フィルターが重なり形成された袋状部を備える立体形状フィルターが形成可能なものであれば、あらゆる外形形状を採用することができる。
同様に、立体形状ティーバッグは、鶴を模した形状に限定されず、あらゆる立体形状を採用することができる。
【００３６】
略十字形であって、２組の対面する２つの突出部の長さが、組ごとに異なる形態にあっては、同組の突出部の長さは異なっていてもよく、略同一の長さであってもよい。重心を安定させるという観点から、上記形態における同組の突出部の長さは略同一であることが好ましい。
【００３７】
重畳フィルターの外形形状は、点対称となる点、又は線対称となる対称軸を有する形状が好ましい。
このような形状とすることで、重心が中央付近に位置する立体形状ティーバッグを形成することができ、当該立体形状ティーバッグは、より抽出時の挙動を安定化させることができる。
【００３８】
立体形状ティーバッグの外形形状は、点対称となる点、又は面対称となる対称面を有する形状が好ましい。
このような形状とすることで、立体形状ティーバッグの重心が中央付近に位置するため、より安定して水面に浮くことができる。
なお、鶴を模した形状においては、頭部１７及び尾部１８を二等分する面が、対称面となる。
【００３９】
また、実施例１において、重畳フィルター１０ａを折曲した後、別のフィルターからなる頭部１７及び尾部１８を取り付ける形態について例示したが、本発明の立体形状ティーバッグは、フィルターとして重畳フィルターのみを用いる形態であってもよく、別のフィルターを含んでもよい。
【００４０】
実施例１において、レーザーを用いてフィルターを切断する形態について例示したが、本発明はこれに限定されず、裁断機、ハサミ、カッター、及びヒートカッター等を用いることもできる。
【００４１】
実施例１においては、２枚のフィルターを重ねて溶着した重畳フィルターについて例示したが、本発明はこれに限定されず、例えば、縫製によりフィルターを縫い付ける形態、及び接着剤、テープ等を用いてフィルターを固定する形態等であってもよい。
【００４２】
本発明の製造方法において、重畳したフィルター同士を溶着する溶着工程を備え、前記溶着工程が、重畳部の周縁の一部を除いて溶着し、原料投入口を形成する工程を含み、前記充填工程後、前記原料投入口を封止する封止工程を備えることが好ましい。
なお、この重畳フィルター同士を溶着する工程と、外形形状を画定する画定工程が同一である必要はなく、例えば、外形形状は縫製により画定され、重畳したフィルター同士は溶着する形態であってもよい。
【００４３】
また、溶着された溶着部１１ａ〜ｄを折込線とする形態について例示したが、本発明はこれに限定されない。
本発明の重畳フィルターは、折込線を有さない形態であってもよく、折込線を有する形態であってもよいが、好ましくは立体形状を形成するための折込部を示す折込線を備える。
なお、折込線は、点線及び破線等の間隔をあけて形成されたものであってもよい。
【００４４】
折込線としては、例えば、食用色素を用いて折込線をフィルター上に記載する形態、及び縫製により折込線を縫う形態であってもよい。
本発明において、折込線は溶着された溶着部とする形態が好ましい。
溶着部を折込線とすることで、重畳フィルターの折込が容易となる。
【００４５】
また、重畳フィルターに含まれるフィルターの数は、２枚に限定されず、３枚以上重ねて重畳フィルターを形成してもよい。
【００４６】
実施例１においては、重畳フィルター１０ａを重ね、開口部を封止することで形成された袋状部１６ａについて例示したが、本発明の立体形状ティーバッグはこれに限られず、重畳フィルター１０が重なり形成された袋状部を備えていればよい。
例えば、重畳フィルターにそれぞれが嵌合、又は引掛が可能な雄部、及び雌部を形成しておき、これらを嵌合、又は引掛ることで、袋状部を形成する形態であってもよい。
また、重畳フィルターが突起部及び切込みを備え、当該突起部を当該切込みに挿設することで形成された袋状部であってもよい。
【００４７】
＜実施例２＞
次いで、図４に、実施例２の重畳フィルター１０ｂを示す。重畳フィルター１０ｂは、原料充填空間１３ｂを、原料充填空間１３ｂ−１、及び原料充填空間１３ｂ−２に分割する、溶着部１１ｂを有している。溶着部１１ｂは、さらに、原料投入口１２ｂを、原料投入口１２ｂ−１、及び原料投入口１２ｂ−２に分割している。
【００４８】
重畳フィルター１０ｂは、原料充填空間１３ｂを対称の形状に分割することで、原料投入後に原料が移動し、重心が偏ることは防止することができる。
その結果、より綺麗に、かつより長時間水面に浮かぶ立体形状ティーバッグを形成することが可能となる。
【００４９】
実施例２においては、原料充填空間を対称の形状に２分割する形態について例示したが、本発明はこれに限定されない。原料充填空間を対称の形状に分割し、それぞれの原料充填空間に対応する原料投入口を有する形態であれば、重心の偏りを防止する効果を奏する。
【００５０】
＜試験例１＞本発明のティーバッグと従来のティーバッグとの比較実験
茶原料が原料充填空間１３ａに充填された実施例１のティーバッグ２０ａ並びに、茶原料が袋状部に充填された以外は、実施例１と同一の構造及び形状を有している従来の立体形状のティーバッグ（比較例１）を、お湯に投入し、その様子を観察した。
結果を図５に示す。
【００５１】
図５は、実施例１及び比較例１をそれぞれお湯に投入してから１分後の様子を示す図面代用写真である。
図５に示す通り、実施例１のティーバッグ２０ａは、胴体部分、及び顔部分が水面から浮き出ているのに対し、比較例１は、ティーバッグ全体が水中に沈んでいることがわかる。
また、実施例１のティーバッグ２０ａは、その後１５分間に渡り、図６の状態を維持していた。
【００５２】
以上の通り、重畳部を形成するフィルター間に存する原料充填空間と、前記重畳フィルターが重なり形成された袋状部を備え、原料が、前記原料充填空間に充填してなる構成を有する本発明の立体形状ティーバッグは、長い時間綺麗に水面に浮かせることができることが示された。
【産業上の利用可能性】
【００５３】
本発明は、抽出時に視覚で楽しむことができるティーバッグに応用することができる。
【符号の説明】
【００５４】
１０          重畳フィルター
１１          溶着部
１２          原料投入口
１３          原料充填空間
１４          縦方向に位置する突出部
１５          横方向に位置する突出部
１６          袋状部
１７          頭部
１８          尾部
２０          立体形状ティーバッグ
【図１】
2020152437.tif 000003
【図２】
2020152437.tif 000004
【図３】
2020152437.tif 000005
【図４】
2020152437.tif 000006
【図５】
2020152437.tif 000007